(57)【要約】【課題】一つのプロセッサーによりファクスジョブの遅延を抑制しつつファクスジョブ及びプリントジョブを並行して実行することができる画像形成装置及びジョブ実行方法を提供すること。【解決手段】画像形成装置は、ファクスジョブ及びプリントジョブを含む複数のジョブを並行して実行可能なＣＰＵ５９と、メモリー５７と、通信ネットワークを介して受信する画像データをメモリー５７に記憶させるネットワークＩ／Ｆ５３と、バス５０と、ＣＰＵ５９によりプリントジョブがファクスジョブと並行して実行される場合はプリントジョブがファクスジョブを除く他のジョブと並行して実行される場合と比較してネットワークＩ／Ｆ５３からメモリー５７へのバス５０を介したデータ伝送量を低減させる伝送量制御部５８３とを備える。【選択図】図３
2016006558.tif 000002
【特許請求の範囲】
【請求項１】
電話回線網を介してファクス通信を行うファクスジョブ及び前記電話回線網を除く通信ネットワークを介して受信する画像データを印刷するプリントジョブを含む複数のジョブを並行して実行可能なプロセッサーと、
前記プロセッサーの作業領域として使用されるメモリーと、
前記通信ネットワークを介して受信する前記画像データを前記メモリーに記憶させるデータ受信部と、
前記プロセッサー及び前記データ受信部を含む複数のモジュールと前記メモリーとを接続するバスと、
前記プロセッサーにより前記プリントジョブが前記ファクスジョブと並行して実行される場合は前記プリントジョブが前記ファクスジョブを除く他の前記ジョブと並行して実行される場合と比較して前記データ受信部から前記メモリーへの前記バスを介したデータ伝送量を低減させる伝送量制御部と、
を備える画像形成装置。
【請求項２】
複数の前記モジュール間で前記バスを介した前記メモリーへのアクセスが競合する場合に、前記モジュールごとに予め設定された優先度に応じて前記バスの使用帯域を割り当てる調停部を更に備え、
前記伝送量制御部が、前記プリントジョブが前記ファクスジョブと並行して実行される場合に前記データ受信部に対応する前記優先度を低くする請求項１に記載の画像形成装置。
【請求項３】
前記ファクスジョブが、前記電話回線網を介して前記画像データを送信するファクス送信ジョブを含み、
前記プロセッサーが、前記プリントジョブの実行中に前記ファクス送信ジョブの実行が開始される場合に、前記データ受信部から伝送されて前記メモリーに記憶されている未処理の前記画像データについての画像処理が終了するまでの間、前記ファクス送信ジョブを待機させる請求項１又は２に記載の画像形成装置。
【請求項４】
前記ファクスジョブが、前記電話回線網を介して前記画像データを受信する受信処理と前記受信処理で受信された前記画像データを印刷する印刷処理とを含むファクス受信ジョブを含み、
前記伝送量制御部が、前記受信処理が終了するまでの間だけ前記データ受信部から前記メモリーへの前記バスを介したデータ伝送量を低減させる請求項１〜３のいずれかに記載の画像形成装置。
【請求項５】
電話回線網を介してファクス通信を行うファクスジョブ及び前記電話回線網を除く通信ネットワークを介して受信する画像データを印刷するプリントジョブを含む複数のジョブを並行して実行可能なプロセッサーと、前記プロセッサーの作業領域として使用されるメモリーと、前記通信ネットワークを介して受信する前記画像データを前記メモリーに記憶させるデータ受信部と、前記プロセッサー及び前記データ受信部を含む複数のモジュールと前記メモリーとを接続するバスとを備える画像形成装置で実行されるジョブ実行方法であって、
前記プロセッサーによる前記プリントジョブ及び前記ファクスジョブの並行処理を検出する第１ステップと、
前記第１ステップにより前記プリントジョブ及び前記ファクスジョブの並行処理が検出された場合は前記プリントジョブが前記ファクスジョブを除く他の前記ジョブと並行して実行される場合と比較して前記データ受信部から前記メモリーへの前記バスを介したデータ伝送量を低減させる第２ステップと、
を含むジョブ実行方法。
【発明の詳細な説明】
【技術分野】
【０００１】
本発明は、複数のジョブを並行して実行可能な画像形成装置及びジョブ実行方法に関する。
【背景技術】
【０００２】
一般に、電話回線網を介してファクス通信を行うファクスジョブ及び電話回線網を除く通信ネットワークを介して受信する画像データを印刷するプリントジョブを含む複数のジョブを並行して実行可能な複合機のような画像形成装置が知られている（例えば、特許文献１参照）。
【先行技術文献】
【特許文献】
【０００３】
【特許文献１】特開２００７−２６３６７号公報
【発明の概要】
【発明が解決しようとする課題】
【０００４】
ところで、画像形成装置において、一つのプロセッサーにより複数のジョブが並行して実行されることがある。このような構成において、ファクスジョブがプリントジョブと並行して実行される場合には、ファクスジョブが他のジョブと並行して実行される場合と比較してファクスジョブの処理が遅延し、電話回線網の利用料金が増大することがある。具体的に、プリントジョブで実行されるレンダリング処理などの画像処理は他のジョブで実行される画像処理と比較してプロセッサーに対する処理負荷が大きく、ファクスジョブの処理に遅延を生じさせやすい。
【０００５】
本発明の目的は、一つのプロセッサーによりファクスジョブの遅延を抑制しつつファクスジョブ及びプリントジョブを並行して実行することができる画像形成装置及びジョブ実行方法を提供することにある。
【課題を解決するための手段】
【０００６】
本発明の一の局面に係る画像形成装置は、プロセッサーと、メモリーと、データ受信部と、バスと、伝送量制御部とを備える。前記プロセッサーは、電話回線網を介してファクス通信を行うファクスジョブ及び前記電話回線網を除く通信ネットワークを介して受信する画像データを印刷するプリントジョブを含む複数のジョブを並行して実行可能である。前記メモリーは、前記プロセッサーの作業領域として使用される。前記データ受信部は、前記通信ネットワークを介して受信する前記画像データを前記メモリーに記憶させる。前記バスは、前記プロセッサー及び前記データ受信部を含む複数のモジュールと前記メモリーとを接続する。前記伝送量制御部は、前記プロセッサーにより前記プリントジョブが前記ファクスジョブと並行して実行される場合は前記プリントジョブが前記ファクスジョブを除く他の前記ジョブと並行して実行される場合と比較して前記データ受信部から前記メモリーへの前記バスを介したデータ伝送量を低減させる。
【０００７】
本発明の他の局面に係るジョブ実行方法は、電話回線網を介してファクス通信を行うファクスジョブ及び前記電話回線網を除く通信ネットワークを介して受信する画像データを印刷するプリントジョブを含む複数のジョブを並行して実行可能なプロセッサーと、前記プロセッサーの作業領域として使用されるメモリーと、前記通信ネットワークを介して受信する前記画像データを前記メモリーに記憶させるデータ受信部と、前記プロセッサー及び前記データ受信部を含む複数のモジュールと前記メモリーとを接続するバスとを備える画像形成装置で実行され、以下の第１ステップ及び第２ステップを備える。前記第１ステップは、前記プロセッサーによる前記ファクスジョブ及び前記プリントジョブの並行処理を検出する。前記第２ステップは、前記第１ステップにより前記プリントジョブ及び前記ファクスジョブの並行処理が検出された場合は前記プリントジョブが前記ファクスジョブを除く他の前記ジョブと並行して実行される場合と比較して前記データ受信部から前記メモリーへの前記バスを介したデータ伝送量を低減させる。
【発明の効果】
【０００８】
本発明によれば、一つのプロセッサーによりファクスジョブの遅延を抑制しつつファクスジョブ及びプリントジョブを並行して実行することができる画像形成装置及びジョブ実行方法が実現される。
【図面の簡単な説明】
【０００９】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の制御部の構成を示すブロック図である。
【図４】図４は、本発明の実施形態に係る画像形成装置のモジュールに設定される優先度の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定する性格のものではない。
【００１１】
［画像形成装置１０の概略構成］
まず、図１及び図２を参照しつつ、本発明の実施形態に係る画像形成装置１０の概略構成について説明する。ここで、図１は、前記画像形成装置１０の断面模式図である。
【００１２】
図１及び図２に示すように、前記画像形成装置１０は、ＡＤＦ１、画像読取部２、画像形成部３、給紙部４、制御部５、操作表示部７、及び記憶部８を備える。前記画像形成装置１０は、画像データに基づいて画像を形成するプリンター機能と共に、スキャン機能、ファクシミリ機能、又はコピー機能などの複数の機能を有する複合機である。また、本発明は、プリンター装置、ファクシミリ装置、コピー機などの画像形成装置に適用可能である。
【００１３】
前記ＡＤＦ１は、原稿セット部、複数の搬送ローラー、原稿押さえ、及び排紙部を備え、前記画像読取部２によって読み取られる原稿を搬送する自動原稿搬送装置である。前記画像読取部２は、原稿台、読取ユニット、複数のミラー、光学レンズ、及びＣＣＤ（Charge Coupled Device）を備え、原稿から画像データを読み取る画像読取処理を実行可能である。
【００１４】
前記画像形成部３は、前記画像読取部２で読み取られた画像データ又は外部のパーソナルコンピューター等の情報処理装置から入力された画像データに基づいて、電子写真方式で画像を形成する画像形成処理を実行可能である。具体的に、前記画像形成部３は、感光体ドラム、帯電装置、光走査装置（ＬＳＵ）、現像装置、転写ローラー、クリーニング装置、定着ローラー、加圧ローラー、及び排紙トレイを備える。そして、前記画像形成部３では、前記給紙部４から供給されるシートに画像が形成されて、画像形成後の前記シートが前記排紙トレイに排出される。なお、前記シートは、紙、コート紙、ハガキ、封筒、及びＯＨＰシートなどのシート材料である。
【００１５】
前記操作表示部７は、前記制御部５からの制御指示に応じて各種の情報を表示する液晶ディスプレーなどの表示部、及びユーザーの操作に応じて前記制御部５に各種の情報を入力する操作キー又はタッチパネルなどの操作部を有する。前記記憶部８は、ＳＳＤ（ソリッドステートドライブ）又はＨＤＤ（ハードディスクドライブ）などの記憶装置である。前記記憶部８には、前記画像読取部２で読み取られた画像データなどが記憶される。
【００１６】
次に、図３を参照しつつ、前記制御部５について説明する。
【００１７】
前記制御部５は、前記画像形成装置１０の各構成を統括的に制御する。具体的に、前記制御部５は、図３に示すように、画像入力部５１、画像出力部５２、ネットワークＩ／Ｆ５３、ファクスＩ／Ｆ５４、ＵＳＢＩ／Ｆ５５、メモリーコントローラー５６、メモリー５７、調停部５８、ＣＰＵ５９、及びＲＯＭ６０を備える。また、前記制御部５において、前記画像入力部５１、前記画像出力部５２、前記ネットワークＩ／Ｆ５３、前記ファクスＩ／Ｆ５４、前記ＵＳＢＩ／Ｆ５５、前記メモリーコントローラー５６、前記調停部５８、及び前記ＣＰＵ５９は、バス５０を介して相互に通信可能に接続されている。ここに、前記バス５０を介して前記メモリー５７に接続される前記画像入力部５１、前記画像出力部５２、前記ネットワークＩ／Ｆ５３、前記ファクスＩ／Ｆ５４、前記ＵＳＢＩ／Ｆ５５、及び前記ＣＰＵ５９が、本発明における複数のモジュールの一例であり、以下、これらを区別する必要がない場合にはこれらをモジュール５Ｘと呼称する。
【００１８】
前記画像入力部５１は、前記画像読取部２の前記ＣＣＤから入力される画像データに対してシェーディング補正処理、ガンマ補正処理などの画像処理を実行し、画像処理後の画像データを前記メモリー５７又は前記記憶部８に記憶させる。
【００１９】
前記画像出力部５２は、前記メモリー５７から画像データを読み出して、スクリーン処理などの画像処理を実行し、画像処理後の画像データを前記画像形成部３の前記光走査装置に出力する。
【００２０】
前記ネットワークＩ／Ｆ５３は、電話回線網を除く通信ネットワークを介して接続される外部の情報処理装置との間で通信を行うインターフェイスである。例えば、前記ネットワークＩ／Ｆ５３は、前記通信ネットワークを介して前記外部の情報処理装置から送信される画像データを受信して前記メモリー５７に記憶させる。ここに、前記ネットワークＩ／Ｆ５３が、本発明におけるデータ受信部の一例である。
【００２１】
前記ファクスＩ／Ｆ５４は、電話回線網を介して接続される外部のファクス通信装置との間でファクス通信を行うインターフェイスである。例えば、前記ファクスＩ／Ｆ５４は、前記バス５０で伝送されるデジタル信号と前記電話回線網で伝送されるアナログ信号とを相互に変換可能なモデムを有する。
【００２２】
前記ＵＳＢＩ／Ｆ５５は、ＵＳＢ規格に基づいてデータの入出力が可能な外部の電子機器が接続されるＵＳＢ接続端子を有する。例えば、前記ＵＳＢＩ／Ｆ５５には、ＵＳＢ規格に基づいてデータの書き込み及び読み出しが可能なＵＳＢメモリーが接続される。
【００２３】
前記メモリーコントローラー５６は、前記モジュール５Ｘ各々からの前記メモリー５７へのアクセス要求に応じて、前記メモリー５７に対する画像データの書き込み処理及び読み出し処理を実行する。
【００２４】
前記メモリー５７は、前記ＣＰＵ５９が実行する各種の処理の一時記憶メモリー（作業領域）として使用される記憶装置である。例えば、前記メモリー５７には、ＤＤＲ−ＳＤＲＡＭが用いられる。
【００２５】
前記調停部５８は、複数の前記モジュール５Ｘ間で前記バスを介した前記メモリー５７へのアクセスが競合する場合に、前記モジュール５Ｘごとに予め設定された優先度に応じて前記バス５０の使用帯域を割り当てる。
【００２６】
例えば、前記画像形成装置１０では、前記モジュール５Ｘ各々に５段階の前記優先度が設定される。そして、前記調停部５８は、前記モジュール５Ｘ各々に設定された前記優先度を記憶するレジスタ５８１を有する。ここで、図４に前記レジスタ５８１に記憶される前記モジュール５Ｘ各々に設定された前記優先度の一例を示す。図４において、前記優先度として設定された値が高い前記モジュール５Ｘほど、前記メモリー５７へのアクセスが優先される。例えば、前記調停部５８は、優先度５の前記画像入力部５１及び優先度３の前記ネットワークＩ／Ｆ５３の前記メモリー５７へのアクセスが競合した場合に、前記画像入力部５１及び前記ネットワークＩ／Ｆ５３の前記バス５０を用いた単位時間当たりのデータ伝送回数が５対３の比率となるよう、前記バス５０の使用帯域を割り当てる。なお、前記優先度の設定内容及び前記調停部５８による前記バス５０の使用帯域の割り当て方法は、以上と異なるものであってもよい。
【００２７】
ところで、前記画像読取部２で前記画像読取処理が実行される場合、前記ＣＣＤから前記画像入力部５１に原稿１ページ分の画像データが連続して入力される。ここで、前記ＣＣＤからの前記画像入力部５１に対する画像データの入力速度が、前記画像入力部５１からの前記メモリー５７に対する画像データの伝送速度を超える場合には、前記画像読取部２によって読み取られる画像データの一部が前記メモリー５７に記憶されない所謂オーバーフローが発生することがある。また、前記画像形成部３で前記画像形成処理が実行される場合、前記画像出力部５２からの前記光走査装置に対する画像データの出力速度が、前記メモリー５７からの前記画像出力部５２に対する画像データの伝送速度を超える場合には、前記画像形成部３で異常画像が形成される所謂オーバーランが発生することがある。そのため、前記モジュール５Ｘ各々のうち、前記画像入力部５１及び前記画像出力部５２については、他の前記モジュール５Ｘより高い前記優先度が設定されることが望ましい。
【００２８】
前記ＣＰＵ５９は、各種の演算処理を実行するプロセッサーである。また、前記ＲＯＭ６０は、前記ＣＰＵ５９に各種の処理を実行させるための制御プログラムなどの情報が予め記憶される不揮発性の記憶装置である。前記ＣＰＵ５９は、前記ＲＯＭ６０に予め記憶された各種の制御プログラムを実行することにより、前記画像形成装置１０を統括的に制御する。ここに、前記ＣＰＵ５９が、本発明におけるプロセッサーの一例である。
【００２９】
そして、前記ＣＰＵ５９は、前記制御プログラムを実行することにより、図２に示すように、ジョブ実行部６１として機能する。
【００３０】
前記ジョブ実行部６１は、前記モジュール５Ｘ各々を制御して画像処理に関するジョブを実行する。具体的に、前記画像形成装置１０では、スキャンジョブ、コピージョブ、プリントジョブ、ファクスジョブを含む複数の前記ジョブが実行可能である。また、前記ジョブ実行部６１は、複数の前記ジョブを並行して実行可能である。
【００３１】
前記スキャンジョブは、前記画像読取部２によって読み取られた原稿の画像データを前記通信ネットワークを介して接続される外部の情報処理装置に送信するジョブである。また、前記スキャンジョブでは、読み取られた画像データを前記記憶部８又は前記ＵＳＢＩ／Ｆ５５に接続されるＵＳＢメモリー等に記憶させることも可能である。具体的に、前記ジョブ実行部６１は、前記画像読取部２、前記画像入力部５１、及び前記ネットワークＩ／Ｆ５３等を制御して前記スキャンジョブを実行する。また、前記ジョブ実行部６１は、ユーザーにより予め設定された前記スキャンジョブの実行条件に基づいて、前記メモリー５７に記憶される画像データに対して圧縮伸張処理、回転処理、変倍処理等の画像処理を実行する。
【００３２】
前記コピージョブは、前記画像読取部２によって読み取られた原稿の画像データを前記画像形成部３に印刷させるジョブである。具体的に、前記ジョブ実行部６１は、前記画像読取部２、前記画像形成部３、前記画像入力部５１、及び前記画像出力部５２を制御して前記コピージョブを実行する。また、前記ジョブ実行部６１は、ユーザーにより予め設定された前記コピージョブの実行条件に基づいて、前記メモリー５７に記憶される画像データに対して圧縮伸張処理、回転処理、変倍処理等の画像処理を実行する。
【００３３】
前記プリントジョブは、前記通信ネットワークを介して接続される前記外部の情報処理通信装置から受信する画像データを前記画像形成部３に印刷させるジョブである。具体的に、前記ジョブ実行部６１は、前記画像形成部３、前記画像出力部５２、及び前記ネットワークＩ／Ｆ５３を制御して前記プリントジョブを実行する。また、前記ジョブ実行部６１は、前記プリントジョブの実行の際に前記外部の情報処理装置との間で通信処理を実行する。更に、前記ジョブ実行部６１は、前記外部の情報処理装置から指定された前記プリントジョブの実行条件に基づいて、前記メモリー５７に記憶される画像データに対して圧縮伸張処理、レンダリング処理、回転処理、変倍処理等の画像処理を実行する。
【００３４】
前記ファクスジョブは、前記電話回線網を介してファクス通信を行うジョブであって、ファクス送信ジョブ及びファクス受信ジョブを含む。
【００３５】
前記ファクス送信ジョブは、前記画像形成部２によって読み取られた原稿の画像データを前記電話回線網を介して接続される前記外部のファクス通信装置に送信するジョブである。また、前記ファクス送信ジョブでは、前記記憶部８等に記憶されている画像データを前記外部のファクス通信装置に送信することも可能である。具体的に、前記ジョブ実行部６１は、前記画像読取部２、前記画像入力部５１、及び前記ファクスＩ／Ｆ５４等を制御して前記ファクス送信ジョブを実行する。また、前記ジョブ実行部６１は、前記ファクス送信ジョブの実行の際に前記外部のファクス通信装置との間でファクス通信処理を実行する。更に、前記ジョブ実行部６１は、前記外部のファクス通信装置との間で決定された前記ファクス送信ジョブの実行条件に基づいて、前記メモリー５７に記憶される画像データに対して圧縮伸張処理、回転処理、変倍処理等の画像処理を実行する。
【００３６】
前記ファクス受信ジョブは、前記電話回線網を介して接続される前記外部のファクス通信装置から画像データを受信する受信処理及び前記受信処理で受信された画像データを前記画像形成部３に印刷させる印刷処理を含むジョブである。また、前記ファクス受信ジョブでは、前記受信処理により受信した画像データを前記記憶部８等に記憶させることも可能である。具体的に、前記ジョブ実行部６１は、前記画像形成部３、前記画像出力部５２、及び前記ファクスＩ／Ｆ５４等を制御して前記ファクス受信ジョブを実行する。また、前記ジョブ実行部６１は、前記受信処理の実行の際に前記外部のファクス通信装置との間でファクス通信処理を実行する。更に、前記ジョブ実行部６１は、前記受信処理の実行の際に、前記メモリー５７に記憶される画像データに対して圧縮伸張処理等の画像処理を実行する。
【００３７】
ところで、前記画像形成装置１０において、前記ＣＰＵ５９により前記ファクスジョブが前記プリントジョブと並行して実行される場合には、前記ファクスジョブが他の前記ジョブと並行して実行される場合と比較して前記ファクスジョブの処理が遅延し、前記電話回線網の利用料金が増大することがある。具体的に、前記プリントジョブで実行される前記レンダリング処理などの画像処理は他の前記ジョブで実行される画像処理と比較して前記ＣＰＵ５９に対する処理負荷が大きく、前記ファクスジョブの処理に遅延を生じさせやすい。これに対し、前記画像形成装置１０では、以下に説明するように、前記ファクスジョブの遅延を抑制しつつ前記ファクスジョブ及び前記プリントジョブを並行して実行することが可能である。
【００３８】
具体的に、前記画像形成装置１０では、前記調停部５８が、処理検出部５８２及び伝送量制御部５８３を含む。例えば、前記調停部５８において、前記処理検出部５８２及び前記伝送量制御部５８３は、予め定められた処理を実行可能に構成された電子回路により構成される。
【００３９】
前記処理検出部５８２は、前記ジョブ実行部６１による前記プリントジョブ及び前記ファクスジョブの並行処理を検出する。例えば、前記処理検出部５８２は、前記モジュール５Ｘ各々からの前記調停部５８への前記バス５０の使用許可要求を解析することで、前記プリントジョブ及び前記ファクスジョブの並行処理を検出する。ここに、前記処理検出部５８２による処理が、本発明の第１ステップの一例である。
【００４０】
前記伝送量制御部５８３は、前記処理検出部５８２により前記プリントジョブ及び前記ファクスジョブの並行処理が検出された場合に、前記プリントジョブが前記ファクスジョブを除く他の前記ジョブと並行して実行される場合と比較して前記ネットワークＩ／Ｆ５３から前記メモリー５７への前記バス５０を介したデータ伝送量を低減させる。これにより、前記レンダリング処理の対象となる画像データのデータ量が低減されて、結果的に前記ＣＰＵ５９の処理負荷が軽減される。従って、前記ファクスジョブで実行される画像処理の遅延が抑制される。ここに、前記伝送量制御部５８３による処理が、本発明の第２ステップの一例である。
【００４１】
具体的に、前記伝送量制御部５８３は、前記レジスタ５８１に記憶されている前記ネットワークＩ／Ｆ５３の前記優先度の内容を書き換えることで、前記ネットワークＩ／Ｆ５３に対応する前記優先度を低くする。例えば、図４に示した例において、前記ネットワークＩ／Ｆ５３の前記優先度を１に設定することが考えられる。また、前記伝送量制御部５８３が、前記ネットワークＩ／Ｆ５３の前記バス５０を介した単位時間当たりのデータ伝送量の上限値を制限することで、前記ネットワークＩ／Ｆ５３から前記メモリー５７へのデータ伝送量を低減させることも考えられる。なお、前記ネットワークＩ／Ｆ５３から前記メモリー５７へのデータ伝送量の低減の度合いは、前記プリントジョブ及び前記ファクスジョブが並行して実行される場合の前記ファクスジョブで実行される画像処理の遅延の程度を考慮して適宜設定されるものであってよい。
【００４２】
また、前記伝送量制御部５８３は、前記処理検出部５８２により前記プリントジョブ及び前記ファクス受信ジョブの並行処理が検出された場合に、前記ファクス受信ジョブの前記受信処理が終了するまでの間だけ、前記ネットワークＩ／Ｆ５３から前記メモリー５７への前記バス５０を介したデータ伝送量を低減させる。これにより、前記電話回線網の利用料金が生じる前記受信処理の間のみ前記ファクス受信ジョブの実行を優先させることが可能となる。
【００４３】
一方、前記ＣＰＵ５９は、前記制御プログラムを実行することにより、図２に示すように、ジョブ制御部６２としても機能する。
【００４４】
前記ジョブ制御部６２は、前記ジョブ実行部６１により前記プリントジョブの実行中に前記ファクス送信ジョブの実行が開始される場合に、前記ネットワークＩ／Ｆ５３から伝送されて前記メモリー５７に記憶されている未処理の画像データについての画像処理が終了するまでの間、前記ジョブ実行部６１による前記ファクス送信ジョブの実行を待機させる。これにより、前記ＣＰＵ５９の処理能力が、前記ファクス送信ジョブの実行が開始される際に前記メモリー５７に記憶されている未処理の画像データについての前記レンダリング処理に占有されて、前記ファクス送信ジョブで実行される画像処理が遅延することが抑制される。
【００４５】
このように、前記画像形成装置１０では、前記プリントジョブと前記ファクスジョブが並行して実行される場合に、前記ネットワークＩ／Ｆ５３から前記メモリー５７への前記バス５０を介したデータ伝送量が低減されることで、結果的に前記レンダリング処理の実行による前記ＣＰＵ５９の処理負荷が軽減される。そのため、一つのプロセッサーによりファクスジョブの遅延を抑制しつつファクスジョブ及びプリントジョブを並行して実行することが可能である。
【００４６】
また、前記画像形成装置１０では、前記調停部５８が、前記プリントジョブと前記ファクスジョブの並行処理を検出して、前記ネットワークＩ／Ｆ５３から前記メモリー５７への前記バス５０を介したデータ伝送量を低減させる。これにより、前記ＣＰＵ５９に追加的な処理負担を課すことなく本発明を実施可能であると共に、本発明の実施に当たり前記ＣＰＵ５９の処理内容を変更する必要もない。なお、前記画像形成装置１０において、前記ＣＰＵ５９が前記制御プログラムを実行することにより前記処理検出部５８２及び前記伝送量制御部５８３として機能する構成が、他の実施形態として考えられる。
【符号の説明】
【００４７】
１  ：ＡＤＦ
２  ：画像読取部
３  ：画像形成部
４  ：給紙部
５  ：制御部
５０：バス
５１：画像入力部
５２：画像出力部
５３：ネットワークＩ／Ｆ
５４：ファクスＩ／Ｆ
５５：ＵＳＢＩ／Ｆ
５６：メモリーコントローラー
５７：メモリー
５８：調停部
５８１：レジスタ
５８２：処理検出部
５８３：伝送量制御部
５９：ＣＰＵ
６０：ＲＯＭ
６１：ジョブ実行部
６２：ジョブ制御部
７  ：操作表示部
８  ：記憶部
１０：画像形成装置
【図１】
2016006558.tif 000003
【図２】
2016006558.tif 000004
【図３】
2016006558.tif 000005
【図４】
2016006558.tif 000006